(57)【要約】      （修正有）【課題】新製品の陳列やディスプレイのリニューアル（一新、更新、再生）に対応し易く、また全体的にまとまり感があり、遠目から見ても、目立たせることができ、物品を陳列できないスペースを極力抑制した物品陳列用容器を提供する。【解決手段】棒状の物品の軸線を横にして収容する物品陳列用容器１であって、平面視上略４分の１の円の柱状に形成された物品収容ケース２，３，４と、前記物品収容ケース２，３，４の円弧状の外周部の周方向に設けられた複数の物品収容部２ａ，３ａ，４ａとを備え、複数の物品収容部２ａ，３ａ，４ａの奥行きが一定に形成され、複数の物品収容部に収容された物品が、前記第１の広告表示体側の物品収容部に行くにしたがって前方に段階的に突出するように陳列される。【選択図】図１
0003159627.tif 000002
【実用新案登録請求の範囲】
【請求項１】
棒状の物品の軸線を横にして収容する物品陳列用容器であって、
平面視上略４分の１の円の柱状に形成された物品収容ケースと、
前記物品収容ケースの円弧状の外周部に一方向に開口して設けられた複数の収容口と、
前記収容口に対応しかつ前記収容口から水平に延設された複数の物品収容部と、
平面視上略４分の１の円板状に形成され、複数重ね合わせられた前記物品収容ケースの上面に取り付けられた天板と、
平面視上略４分の１の円板状に形成され、複数重ね合わせられた前記物品収容ケースの下面に取り付けられた底板と、
複数重ね合わせられた前記物品収容ケースの側壁に側面部が取り付けられると共に、正面部が前記収容口と同一方向に向いて、前記物品収容ケースの円弧状の外周部に位置するＬ字状の側板と、
前記Ｌ字状の側板の正面部に第１の広告表示体を取り付ける固定板とを備え、
複数の物品収容部の奥行きが一定に形成され、複数の物品収容部に収容された物品が、前記第１の広告表示体側の物品収容部に行くにしたがって前方に段階的に突出するように陳列されることを特徴とする物品陳列用容器。
【請求項２】
前記固定板は透明な合成樹脂板からなり、第１の広告表示体を前記Ｌ字状の側板の正面部と前記固定板の間に挟むことにより、第１の広告表示体が固定されることを特徴とする請求項１記載の物品陳列用容器。
【請求項３】
帯状の第２の広告表示体を備え、
複数重ね合わせられた物品収容ケースの少なくとも一つの物品収容ケースにおける物品収容部に、帯状の第２の広告表示体の端部を収容することにより物品収容ケースに取り付けられることを特徴とする請求項１または請求項２記載の物品陳列用容器。
【請求項４】
帯状の第２の広告表示体の一端部が収容される物品収容部と、他端部が収容される物品収容部とは異なること特徴とする請求項３記載の物品陳列用容器。
【請求項５】
前記請求項１乃至請求項４のいずれかに記載された物品陳列用容器を組み合わせ、固定し、一体化されていることを特徴とする物品陳列用容器。
【考案の詳細な説明】
【技術分野】
【０００１】
本考案は物品陳列用容器に関し、特に筆記具（ボールペン、サインペン、繰出鉛筆、鉛筆）等の棒状の物品を陳列するための物品陳列用容器に関する。
【背景技術】
【０００２】
一般的に、商品（物品）は什器や棚等に陳列され、消費者が陳列された商品（物品）を見たり、触れたりできるようになされている。
従来の物品陳列用什器を図１５に基づいて説明する。この什器１００は、店舗において筆記具などの棒状の商品を陳列する比較的大型の什器であって、両側部に側壁１０１が立設され、これら側壁１０１で囲まれた上部箇所が陳列部１０２とされる。また、前記側壁１０１間には透明板材からなる仕切り壁１０３が前方から見て前後方向に並列に並べられることにより、この陳列部１０２は仕切られている。更に、仕切り壁１０３には横方向に仕切る横仕切り板１０４（破線で示す）が立設されている。
このような物品陳列用什器什器１００においては、仕切り壁１０３と横仕切り板１０４とで仕切られる個々の箇所に種々の商品Ｇをそれぞれ分類するなどして上下方向に沿った状態で収納し陳列している。尚、側壁１０１で囲まれた下部箇所が在庫収容部１０５とされる。
【０００３】
しかしながら、このような物品陳列用什器にあっては、（１）雑然とした陳列状況を呈する虞れがあった。複数種類の商品が一つの什器に前後左右に陳列されているため、メーカーの違いや製品の種類を差別化しにくく、全体的に乱雑な印象を与える虞があった。また、個々の商品を視覚的に引き立たせにくいため、遠目からでは商品が埋もれてしまい易かった。（２）新製品の陳列に不向きであった。一度設置すると場所やサイズの変更が難しい大型什器であるため、新製品の陳列やディスプレイのリニューアル（一新、更新、再生）に対応し難かった。
【０００４】
この課題を解決するものとして、先に、本出願人は特許文献１記載の発明を提案している。この特許文献１に記載された物品陳列容器を図１６乃至図１８に基づいて説明する。
この筆記具等の棒状の物品を陳列する容器１２０は、上部が開放され、かつ前部上端部が切り欠かれたケース体１２１と、ケース体１２１の後部内で在庫物品を収容する在庫物品収納部１２２と、ケース体１２１の前部内で前方よりも後方が高くなるように物品を配列し、かつ物品上部が前方から見えるように物品を収納しかつ陳列する物品陳列収納部１２３と、ケース体１２１の前面に陳列物品に関する情報を表示しかつ着脱自在な表示部１２４とを備えている。
【０００５】
前記物品陳列用容器１２０は、図１７に示すように、既存の壁棚部１３０に、多数の物品陳列用容器１２０をその前面が見得るようにして並列状に配列する。このように、物品陳列用容器１２０を店舗の壁棚部１３０に並列に載置することにより、整理された陳列を行うことができる。
【０００６】
また、図１８に示すように、レジスター１３１回りに物品陳列用容器１２０を配列し、あるいは積み重ね、レジスター１３１回りの最小限の空きスペースを使い、消費者・需要者の目を引く陳列を行うことができる。以上説明したように、この物品陳列用容器１２０にあっては、前記単体での利用はもちろん、組み合わせによる明快な演出で店舗の雰囲気作りをすることができる。
【先行技術文献】
【特許文献】
【０００７】
【特許文献１】特開平７−３０３５５０号公報
【考案の概要】
【考案が解決しようとする課題】
【０００８】
ところで、物品陳列用容器１２０が略直方体形状に形成されているため、図１７に示すように、横方向（Ｘ方向）に並列に配置し、更に縦方向（Ｙ方向）に並列に配置すると、両者の間に物品陳列用容器１２０を配置できない（物品を陳列できない）スペースＳ１が生じることがあった。また、物品陳列用容器１２０をＡ方向から見た際、物品陳列用容器１２０の側面が見え、物品を陳列できないスペースＳ２が生じ、物品の陳列を有効的に行うことができなかった。
【０００９】
同様に、図１８に示した場合にも、物品陳列用容器１２０の側面が見えることとなり、物品を陳列できないスペースＳ３、Ｓ４、Ｓ５が生じ、物品の陳列を有効的に行うことができなかった。
また、物品陳列用容器１２０を縦方向に重ね合わせ場合、上下に配置された物品陳列用容器１２０の間のスペースＳ６が小さいため、下側に位置する物品陳列用容器１２０から物品を取出す際、物品Ｇが上側に位置する物品陳列用容器１２０に当たり取り出し難かった。特に、筆記具等の棒状の物品Ｇがその軸線を略垂直になるように収容し（棒状商品を立てて収納し）、この物品Ｇを物品陳列収容部１２３から引き抜くようにして取出さなければならないため、上側に位置する物品陳列用容器１２０が邪魔になることがあった。
【００１０】
本考案は、前記した点に着目してなされたものであり、新製品の陳列やディスプレイのリニューアル（一新、更新、再生）に対応し易く、また全体的にまとまり感があり、遠目から見ても、目立たせることができ、物品を陳列できないスペースを極力抑制した物品陳列用容器を提供することを目的とする。また、物品陳列用容器を重ね合わせても、下側に位置する物品陳列用容器から物品を容易に取り出すことができる物品陳列用容器を提供することを目的とする。
【課題を解決するための手段】
【００１１】
前記目的を達成するためになされた本発明にかかる物品陳列用容器は、棒状の物品の軸線を横にして収容する物品陳列用容器であって、平面視上略４分の１の円の柱状に形成された物品収容ケースと、前記物品収容ケースの円弧状の外周部に一方向に開口して設けられた複数の収容口と、前記収容口に対応しかつ前記収容口から水平に延設された複数の物品収容部と、平面視上略４分の１の円板状に形成され、複数重ね合わせられた前記物品収容ケースの上面に取り付けられた天板と、平面視上略４分の１の円板状に形成され、複数重ね合わせられた前記物品収容ケースの下面に取り付けられた底板と、複数重ね合わせられた前記物品収容ケースの側壁に側面部が取り付けられると共に、正面部が前記収容口と同一方向に向いて、前記物品収容ケースの円弧状の外周部に位置するＬ字状の側板と、前記Ｌ字状の側板の正面部に第１の広告表示体を取り付ける固定板とを備え、複数の物品収容部の奥行きが一定に形成され、複数の物品収容部に収容された物品が、前記第１の広告表示体側の物品収容部に行くにしたがって前方に段階的に突出するように陳列されることを特徴としている。
【００１２】
この物品陳列用容器にあっては、棒状の物品の軸線を横にして収容され、更に複数の物品収容部に収容された物品が、前記第１の広告表示体側の物品収容部に行くにしたがって前方に段階的に突出するように陳列されるため、物品陳列用容器を重ね合わせても、下側に位置する物品陳列用容器から物品を容易に取り出すことができる
また、この物品陳列用容器には、平面視上略４分の１の円に形成された物品収容ケース、天板、底板が用いられており、この物品陳列用容器は、全体形状として平面視上略４分の１の円に柱状に形成される。したがって、陳列スペースのコーナ部（角部）等の物品を陳列できないスペースにも、この物品陳列用容器を置くことができ、陳列できないスペースを極力少なくすることができる。
更に、Ｌ字状の側板の正面部が前記物品収容ケースの円弧状の外周部に位置し、固定板によって、前記Ｌ字状の側板の正面部に第１の広告表示体が取り付けられるため、遠目から見ても、目立たせることができる。
【００１３】
ここで、前記固定板は透明な合成樹脂板からなり、第１の広告表示体を前記Ｌ字状の側板の正面部と前記固定板の間に挟むことにより、第１の広告表示体が固定されることが望ましい。このように、第１の広告表示体が固定されるため、広告表示体の変更等を容易に行うことができる。
【００１４】
また、帯状の第２の広告表示体を備え、複数重ね合わせられた物品収容ケースの少なくとも一つの物品収容ケースにおける物品収容部に、帯状の第２の広告表示体の端部を収容することにより、物品収容ケースに取り付けられることが望ましい。
このように帯状の第２の広告表示体の端部を物品収容部に収容することにより、第２の広告表示体を容易に取り付けることができる。
【００１５】
また、帯状の第２の広告表示体の一端部が収容される物品収容部と、他端部が収容される物品収容部とは異なることが望ましい。物品収容部が複数設けられているため、第２の広告表示体の一端部が収容される物品収容部を変えることにより、第２の広告表示体の長さを容易に変更することができる。
【００１６】
更に、前記物品陳列用容器を組み合わせ、固定し、一体化されていることが望ましい。前記物品陳列用容器を組み合わせ、固定し、一体化することにより、斬新なディスプレイを行うことができ、新製品の陳列やディスプレイのリニューアル（一新、更新、再生）に容易に対応することができる。また全体的にまとまり感があり、遠目から見ても、目立たせることができる。
【考案の効果】
【００１７】
本考案によれば、新製品の陳列やディスプレイのリニューアル（一新、更新、再生）に対応し易く、また全体的にまとまり感があり、遠目から見ても、目立たせることができ、物品を陳列できないスペースを極力抑制した物品陳列用容器を得ることができる。また、物品陳列用容器を重ね合わせても、下側に位置する物品陳列用容器から物品を容易に取り出すことができる物品陳列用容器を得ることができる。
【図面の簡単な説明】
【００１８】
【図１】図１は、本考案に係る物品陳列用容器の概略構成を示す斜視図である。
【図２】図２は、図１の物品陳列用容器の分解斜視図である。
【図３】図３は、本考案に係る物品陳列用容器の物品収容部を示す斜視図である。
【図４】図４は、図３のＩ−Ｉ断面図である。
【図５】図５は、本考案に係る物品陳列用容器の天板を示す斜視図である。
【図６】図６は、本考案に係る物品陳列用容器の底板を示す斜視図である。
【図７】図７は、本考案に係る物品陳列用容器の側板及び広告表示体を取付けるための固定板を示す斜視図である。
【図８】図８は、本考案に係る物品陳列用容器を横に二つ並べ、全体として半円柱状になされた物品陳列用容器を示す、正面方向からの斜視図である。
【図９】図９は、本考案に係る物品陳列用容器を横に二つ並べ、全体として半円柱状になされた物品陳列用容器を示す、裏面方向からの斜視図である。
【図１０】図１０は、本考案に係る物品陳列用容器を縦に二つ並べた物品陳列用容器を示す、正面方向からの斜視図である。
【図１１】図１１は、本考案に係る物品陳列用容器を縦に二つ並べた物品陳列用容器を示す、裏面方向からの斜視図である。
【図１２】図１２は、本考案に係る物品陳列用容器の使用状態を示す斜視図である。
【図１３】図１３は、本考案に係る物品陳列用容器の他の使用状態を示す斜視図である。
【図１４】図１４は、本考案に係る物品陳列用容器の組合わせ例を示す概略構成図である。
【図１５】図１５は、従来の物品陳列用什器を示す概略構成図である。
【図１６】図１６は、従来の他の物品陳列用容器を示す斜視図である。
【図１７】図１７は、図１６に示した物品陳列用容器の使用状態を示す斜視図である。
【図１８】図１８は、図１６に示した物品陳列用容器の他の使用状態を示す斜視図である。
【考案を実施するための形態】
【００１９】
以下、本考案の実施の形態を図面に基づき説明する。
図１、２に示すように、物品陳列用容器１は、ボールペン、サインペン、繰出鉛筆、鉛筆などの筆記具等の棒状の物品（例えば商品）を、軸線を横にして陳列する容器であって、物品収容ケース２，３，４と、天板５と、底板６と、側板７と、第１の広告表示体９を取付けるための固定板８とを備えている。尚、図中、符号１０は第２の広告表示体である。
【００２０】
前記物品収納ケース２，３，４は、透明な合成樹脂材で同一形状、同一寸法に形成されている。そのため、図３，４に基づいて、物品収容ケース２の構成について説明する。
物品収容ケース２は、平面視で略４分の１の円の柱状に形成され、円弧状の外周部に一方向に開口した収容口Ｂが形成され、前記収容口Ｂから水平に延設された物品収容部２ａが設けられている。この物品収容部２ａは、周方向に５個形成され、複数の物品収容部２ａ１〜２ａ５の奥行きｈが一定に形成されている。
したがって、複数の物品収容部２ａ１〜２ａ５に収容された物品Ｇが、前記第１の広告表示体９側の物品収容部に（２ａ１から２ａ５に）行くにしたがって前方に段階的に突出するように陳列される。
【００２１】
具体的には、この物品収容ケース２は、平面視で略４分の１の円の板状に形成された天板２ｂと、前記天板２ｂと同一形状、同一寸法の底板２ｃと、前記天板２ｂと底板２ｃの間に挟まれ、天板２ｂと底板２ｃとの間に所定の空間を形成する側壁２ｄ及び側壁２ｅを備えている。
【００２２】
前記側壁２ｄは前記した略４分の１の円の中心Ｏを通る線上に位置する側壁であり、前記側壁２ｅは、前記した略４分の１の円の中心Ｏから所定の距離上に位置する側壁である。
したがって、側壁２ｄ、２ｅは同一の高さ寸法を有するが、側壁２ｄの長さ寸法は側壁２ｅの長さ寸法より大きな寸法に形成されている。
このように側壁２ｄが円の中心Ｏから所定の距離上に位置するため、物品収容ケース２は平面視で完全な４分の１の円ではなく、略４分の１の円の柱形状に形成される。
【００２３】
物品収容ケース２の側壁２ｄと２ｅの間には、側壁２ｅ、仕切り板２ｆ、底板２ｇによって第１の収容部２ａ１が形成され、また、仕切り板２ｆ、仕切り板２ｈ、底板２ｉによって第２の収容部２ａ２が形成されている。同様に、仕切り板２ｈ、仕切り板２ｊ、底板２ｋによって第３の収容部２ａ３が形成され、仕切り板２ｊ、仕切り板２ｌ、底板２ｍによって第４の収容部２ａ４が形成され、仕切り板２ｌ、側壁２ｄ、底板２ｎによって第５の収容部２ａ５が形成されている。
【００２４】
このように、物品収容ケース２には、円の中心Ｏを通る線と平行に開口した収容口Ｂを有する第１〜第５の物品収容部２ａ１〜２ａ５が形成されている。しかも、前記底板２ｇ、２ｉ、２ｋ、２ｍ、２ｎは、側壁２ｅ側から円の中心線側（側壁２ｄ側）に行くに従って前方に形成され、第１〜第５の物品収容部の奥行き寸法ｈは、同一寸法に形成されている。
尚、前記底板２ｇ、２ｉ、２ｋ、２ｍ、２ｎは同一長さ寸法に形成されている。
したがって、第１〜第５の物品収容部は略同一の形状に形成され、物品収容ケース２に収容された物品Ｇは、円の中心Ｏの線側（側壁２ｄ側）が側壁２ｅ側よりも前方に突出するように、物品が配列、陳列される。そのため、物品Ｇを各収容部２ａ１〜２ａ５に収容すると側壁２ｅ側から円の中心Ｏの線側（側壁２ｄ側）側に行くにしたがって、段階的に、前方に突出する物品Ｇの上端部を見ることができ、物品収容ケース２内に収納された物品Ｇを消費者・需要者に対して容易かつ確実に見せることができる。
尚、物品収容ケース３，４にも、同様な第１〜第５の物品収容部３ａ（３ａ１〜３ａ５）、４ａ（４ａ１〜４ａ５）が形成されている。
【００２５】
前記物品収納ケース２，３，４は、例えば、図９に示すようなねじ１２、ナット１３の螺合手段、また、図示しないが接着剤、粘着剤等の接合手段によって一体化される。
したがって、物品陳列用容器１としては、図１，２に示すように、上下方向に３段の第１〜第５の物品収容部を有する容器として形成される。尚、図２中、符号２ｐ、３ｐ、４ｐは、前記ねじ１２が挿通する穴を示している。また図９中、３つのねじで固定されることが図示されているが、その数に限定されるものではない。
【００２６】
また、天板５、底板６は、図５，６に示すように、前記天板５は、物品収容ケースと同様に、平面視上略４分の１の円板状に形成され、また、底板６も、平面視上略４分の１の円板状に形成されている。
そして、前記ねじ１２、ナット１３の螺合手段、また接着剤、粘着剤等の接合手段によって、物品収納ケース２の天板、物品収納ケース４の底板に取り付けられている。尚、図２中、符号５ａ、６ａは、前記ねじ１２が挿通する穴を示している。図１、２中、３つのねじ挿通穴が示されているが、その数に限定されるものではない。
【００２７】
また、物品陳列用容器１の側板７は合成樹脂材によって、図２，７に示すようにＬ字状形成され、側面部７ａと正面部７ｂとが形成されている。前記側面部７ａは、ねじ、ナット等の螺合手段、また接着剤、粘着剤等の接合手段によって、前記物品収納ケース２，３，４に取り付けられる。また、前記側面部７ａと物品収納ケース２，３，４の側壁との間には、第１の広告表示体９を取付けるためのＬ字状の固定板８が取り付けられる。
【００２８】
この固定板８は透明な合成樹脂材で形成されており、側面部８ａと正面部８ｂとが形成されている。前記側面部８ａが物品収納ケース２，３，４の側壁に接着剤、粘着剤等の接合手段によって取り付けられる。
前記物品陳列用容器１の側板７に固定板８が取り付けられた状態において、前記側板７の正面部７ｂと固定板８の正面部８ｂの間に、第１の広告表示体９を挿脱することにより、広告表示体９を着脱することができる。この第１の広告表示体９は、紙等の材質からなり、陳列物品Ｇに関する情報が表示されている。
【００２９】
更に、図１，２に示すように、前記物品収容部２ａに、第２の広告表示体１０を装着することもできる。紙などの材質により帯状の広告表示体１０を形成し、その一端部１０ａを第１の収容部２ａ１に挿入し、他端部１０ｃを第５の収容部２ａ５に挿入することにより、第２の広告表示体１０を取り付けることができる。この広告表示体１０の中央部１０ｂに、陳列物品Ｇに関する情報が表示されている。
このように、第２の広告表示体１０を取り付けた場合、前面に陳列物品に関する情報を表示することができるため、物品に関する情報を容器の前面に大きくかつ見やすく表示することができる。その結果、消費者・需要者に物品に関する特長等の情報を適切あるいは魅力的に提示することができる。これにより、消費者等の購買意欲を高めることができる。
【００３０】
特に、物品収納ケースが３段重ねられた物品陳列用容器１にあっては、その中央に位置する２段目の物品収容ケース３に、前記第２の広告表示体１０を取り付けることにより、特に視覚的に際立たせることができ、物品に関する情報を消費者・需要者に対して容易かつ確実に伝達することができる。また、前記第１、第２の広告表示体９，１０は着脱自在であるため、陳列する物品を交換する場合などに対応して広告表示体を迅速に変えることができる。
【００３１】
このように構成された物品陳列用容器１にあっては、平面視上で略４分の１円の柱状に形成され、段階的に、前方に突出して物品を陳列することができるため、物品収容部２内に収納された物品が消費者・需要者に対して容易かつ確実に見せることができる。また全体的にまとまり感があり、遠目から見ても、目立たせることができる。また、平面視上で略４分の１円の柱状に形成されているため、陳列スペースの角部（コーナ部）を活用でき、面積の限られた店舗において有効に陳列することができる。
更に、物品収容ケース２，３，４と、天板５と、底板６と、側板７と、第１の広告表示体９を取付けるための固定板８が合成樹脂材で構成されているため、軽量で持つ運びし易く、新製品の陳列やディスプレイのリニューアル（一新、更新、再生）に容易に対応することができる。
【００３２】
次に、物品陳列用容器を組み合わせた使用形態について、図８乃至図１３に基づいて説明する。本発明にかかる物品陳列用容器は、単体として使用することができるが、図８、図９に示すように、物品陳列用容器１の側板７同士を重ね合わせ、全体として平面視上で略半円の円柱状の物品陳列用容器２０として使用することができる。
前記物品陳列用容器１同士の固定は、図９に示すように、両者の天板５，５、底板６，６同士を突き合わせた状態で、両者の側板７，７の間に空間が形成されるため、物品陳列用容器の裏面側から下面に粘着剤あるいは接着剤が形成された固体板１１を挿入し、前記固定板１１で両者の底板同士を張合わせ（接合し）固定する。尚、物品陳列用容器１，１同士の固定は、前記固定板１１に限らず、例えば、ねじ、ナット等の螺合手段によっても良い。
【００３３】
また、この使用形態にあっては、図８に示すように第２の広告表示体１０は、物品陳列用容器の中央に位置する２段目の物品収容ケースに取り付けられている。更に、上段の物品収容ケース２及び下段の物品収容ケース４に、前記広告表示体１０と長さの異なる第２の広告表示体１４を取り付けても良い。この広告表示体１４も、前記広告表示体１０と同様に、端部を物品収容部に収容することにより、取り付けることができる。
尚、帯状の第２の広告表示体１４の両端部は異なる物品収容部に収容しても良いが、広告表示体１４が短い場合には、両端部を同じ物品収容部に収容しても良い。
【００３４】
このように、構成された物品陳列用容器２０にあっては、平面視上で略半円柱状に形成され、段階的に、前方に突出して物品を陳列することができるため、物品収容部内に収納された物品が消費者・需要者に対して容易かつ確実に見せることができる。
また、物品陳列用容器が並列に並べられているため、物品陳列用容器が一つの場合に比べて、より全体的にまとまり感があり、遠目から見ても、目立たせることができる。
【００３５】
また他の使用形態として、図１０，１１に示すように、一の物品陳列用容器１の天板５上に、他の物品陳列用容器１の底板６を重ね合わせ、全体として平面視上で略４分の１円の円柱状の物品陳列用容器３０として使用することができる。
図１１に示すように、一の物品陳列用容器１の天板５上に、他の物品陳列用容器１の底板６を重ね合わせた状態で、ねじ１２、ナット１３の螺合手段で両者を張合わせ（接合し）固定する。尚、物品陳列用容器同士の固定は、前記ねじ１２、ナット１３の螺合手段に限らず、例えば、接着剤、粘着剤等の接合手段によっても良い。
【００３６】
このように構成された物品陳列用容器３０にあっては、平面視上で略４分の１円の柱状に形成され、段階的に、前方に突出して物品Ｇを陳列することができるため、物品収容部内に収納された物品が消費者・需要者に対して容易かつ確実に見せることができる。
また、物品陳列用容器１，１が縦方向に並べられているため、物品陳列用容器が一つの場合に比べて収納スペースが多く、より全体的にまとまり感があり、遠目から見ても、目立たせることができる。特に、下側に位置する物品陳列用容器から物品を容易に取り出す際にも、上側に位置する物品陳列用容器１は邪魔にならず、容易に物品Ｇを取り出すことができる。特に、棒状の物品の軸線を横にして収容され、更に複数の物品収容部に収容された物品を引出すようにして取り出すため、上側に位置する物品陳列用容器１が邪魔にならず、容易に物品Ｇを取り出すことができる。
【００３７】
具体的な陳列形態として、図１２に示すように、既存の壁棚部１３０の両端部に、平面視上で略半円柱状に形成された物品陳列用容器２０を配置し、その間を従来の直方体状の物品陳列用容器１２０を配置する。これにより、物品陳列用容器の前面を店舗の壁棚部１３０の全面にわたって位置させることができ、面積の限られた店舗において物品を有効に陳列することができる。また、全体的にまとまり感があり、遠目から見ても、目立たせることができる。
【００３８】
更に、図１３に示すように、レジスター１３１回りに平面視上で略半円柱状に形成された物品陳列用容器２０を配置し、レジスター１３１回りの空きスペースを利用しても良い。
また、一の物品陳列用容器の天板上に、他の物品陳列用容器の底板を重ね合わせ、全体として平面視上で略４分の１円の柱状の物品陳列用容器３０を並べて、更に平面視上で略半円柱状に形成された物品陳列用容器４０としても良い。
【００３９】
更に、この物品陳列用容器は、色々な組み合わせを行うことができ、例えば、図１４（ａ）に示すように、物品陳列用容器１，１の長さ寸法の短い側壁２ｅ、２ｅ同士を合わせて一体化した物品陳列用容器５０としても良い。この場合、側壁２ｅ、２ｅ同士をねじ、ナット等の螺合手段で固定することができ、また接着剤、粘着剤等の接合手段によって固定しても良い。
また、図１４（ｂ）に示すように、平面視上で略半円柱状に形成された物品陳列用容器２０の上に、単体の物品陳列用容器１を配置した物品陳列用容器６０としても良い。
更に、図１４（ｃ）に示すように、一の物品陳列用容器の長さ寸法の短い側壁２ｅに、他の物品陳列用容器の長さ寸法の長い側壁２ｄを合わせて一体化し、平面視上で鋸刃状の柱状体の物品陳列用容器７０としても良い。この場合、側壁２ｅ，２ｄ同士をねじ、ナット等の螺合手段で固定することができ、また接着剤、粘着剤等の接合手段によって固定しても良い。
また、図１４（ｄ）に示すように、物品陳列用容器を並べ、平面視上で円になるように（円柱状になるように）物品陳列用容器８０を配置しても良い。
【００４０】
このように本発明にかかる物品陳列用容器にあっては、独創的なレイアウトを行うことができ、斬新な物品の陳列を行うことができる。しかも、設置数も商品の組み合わせも、レイアウトもすべて自由自在に行うことができ、限られたスペースを無駄なく生かすことができる。
【００４１】
尚、上記実施形態における天板５（物品陳列用容器が重ねられている場合には最も上位置の天板５）の上に、更に一般的な広告表示体を載置して（取付けて）も良い。このように広告表示体を更に取付けることにより、消費者・需要者に対して容易かつ確実に広告表示を見せることができる。
【符号の説明】
【００４２】
１，２０，３０，４０，５０，６０，７０，８０    物品陳列用容器
２    物品収容ケース
２ａ    物品収容部
２ａ１〜２ａ５    第１〜第５物品収容部
２ｄ    側壁
２ｅ    側壁
２ｆ、２ｈ、２ｊ、２ｌ    仕切り板
２ｇ、２ｉ、２ｋ、２ｍ、２ｎ    底板
３，４    物品収容ケース
５    天板
６    底板
７    側板
８    固定板
９    第１の広告表示体
１０、１４    第２の広告表示体
１１    固定板
１２    ねじ
１３    ナット
Ｂ    物品収容部の収容口
ｈ    物品収容部奥行き寸法
【図１】
0003159627.tif 000003
【図２】
0003159627.tif 000004
【図３】
0003159627.tif 000005
【図４】
0003159627.tif 000006
【図５】
0003159627.tif 000007
【図６】
0003159627.tif 000008
【図７】
0003159627.tif 000009
【図８】
0003159627.tif 000010
【図９】
0003159627.tif 000011
【図１０】
0003159627.tif 000012
【図１１】
0003159627.tif 000013
【図１２】
0003159627.tif 000014
【図１３】
0003159627.tif 000015
【図１４】
0003159627.tif 000016
【図１５】
0003159627.tif 000017
【図１６】
0003159627.tif 000018
【図１７】
0003159627.tif 000019
【図１８】
0003159627.tif 000020